(57)【要約】【課題】オゾン殺菌効果を有するマウスを提供する。【解決手段】本考案は、オゾン殺菌効果を有するマウスを提供し、有線マウス１の本体内部に、オゾン生成モジュール２を設置し、有線マウスのＵＳＢヘッド１６が連接するコンピュータ電源により、オゾン生成モジュール２が、マウス使用と同時に、オゾンガスを生成すると共に、マウスハウジング１０，１１上の適当な孔槽１９から外に向けて発散し、マウス本体、或いは、周囲に対し、殺菌、消毒、或いは空気洗浄等の、オゾンの効果をもたらす。【選択図】図２
0003103095.tif 000002
【実用新案登録請求の範囲】
【請求項１】
オゾン殺菌効果を有する有線マウスであって、前記マウスは、上下ハウジング、及び、ハウジング内部の回路板、光学式座標装置、及び、入力用ボタン、或いは、リールホイール、からなり、USBヘッドにより、コンピュータホストと接続され、その特徴は、前記マウスのハウジング内部にオゾン生成モジュールを設置し、前記オゾン生成モジュールの電源と前記マウスのUSBヘッド中の電源線とを連接させ、前記オゾン生成モジュールが、直接、前記マウスの現有電源を利用して、起動使用できるようにしてあることで、これにより、前記マウスの使用と同時に、オゾンガスを発生させて、前記マウスのハウジング上の適当な孔槽より、外に向けて発散され、前記マウス本体、或いは、周囲に対し、殺菌、消毒、或いは空気洗浄等の、オゾンの効果をもたらすことを特徴とするオゾン殺菌効果を有する有線マウス。
【請求項２】
前記オゾン生成モジュールは、絶縁ケーシング内に配置されることを特徴とする請求項１に記載のオゾン殺菌効果を有する有線マウス。  
【請求項３】
前記オゾン生成モジュールは、ケーシング内部の底部に近い部分に回路板を設け、前記回路板上に、変圧器を備え、前記マウスの低電圧を高電圧、低電流に転換することが出来ると共に、前記回路板の上方に、数個の電極鋭針、及び相反する電極の電極孔銅板を固設し、前記電極孔銅板上に、前記電極鋭針に対応して、ホールが設けられ、前記回路板の一端から、正負導線が延出して、前記マウスの前記USBヘッド中の電源線と連接し、前記絶縁ケーシング内部に、絶縁樹脂層を灌入して、前記回路板を包覆し、好ましい絶縁、隔熱効果を得て、上述の構造により、前記オゾン生成モジュール全体の容積を縮小することが出来、前記有線マウス本体内に装着して使用することが出来ることを特徴とする請求項１に記載のオゾン殺菌効果を有する有線マウス。
【請求項４】
前記マウスのハウジング上の適当な孔槽は、前記マウスのハウジング上の隙間であることを特徴とする請求項１に記載のオゾン殺菌効果を有する有線マウス。
【請求項５】
前記マウスのハウジング上の適当な孔槽は、前記上ハウジング上に設けられた孔槽であることを特徴とする請求項１に記載のオゾン殺菌効果を有する有線マウス。
【請求項６】
オゾン殺菌効果を有する無線マウスであって、前記無線マウスは受信器と合わせて使用され、前記受信器は、USBヘッドにより、コンピュータホストと連接され、その特徴は、前記受信器は、前記無線マウスを放置する凹槽を備えルハウジングで、前記ハウジング内部に、オゾン生成モジュールを設置し、前記受信器の現有の電源により、前記オゾン生成モジュールを起動して、前記オゾン生成モジュールがオゾンを生成し、ハウジング上の適当な孔槽から外に向けて発散し、前記受信器の凹槽に配置された前記無線マウス本体、或いは、周囲に対し、殺菌、消毒、或いは空気洗浄等の、オゾンの効果をもたらすことを特徴とするオゾン殺菌効果を有する無線マウス。  
【請求項７】
前記無線マウスは充電台座を合わせて使用し、前記受電台座は、USBヘッドにより電源を外接し、特徴は、前記充電台座のハウジング内部にオゾン生成モジュールを設置し、前記充電台座現有の電源により、前記オゾン生成モジュールを起動して、オゾンを発生させると共に、前記充電台座のハウジング上の適当な孔槽から外に発散させ、前記受電台座の凹槽内に配置された前記無線マウス本体、或いは周囲に対し、殺菌、消毒、或いは、空気洗浄のオゾン効果をもたらすことを特徴とするオゾン殺菌効果を有する無線マウス。
【考案の詳細な説明】
【技術分野】
【０００１】
本考案は、オゾン殺菌効果を有するマウスに関するものであって、特に、有線マウスの本体ハウジング内部、或いは、無線マウスの受信器、或いは、充電台座のハウジング内部に、オゾン生成モジュールを増設すると共に、有線マウス現有のUSB（Universal  Serial  Bus）ヘッドが連接するコンピュータ電源、或いは、無線マウス受信器、或いは、充電台座の外接電源により、オゾン生成モジュールは、使用と同時に、オゾンガスを発生して、外部に向けて発散し、マウス本体、或いは、周辺に対し、殺菌、消毒、或いは、空気洗浄等のオゾンの効果を発揮するマウスに関するものである。
【背景技術】
【０００２】
マウスはコンピュータの必須の周辺設備であり、クリック、ダブルクリック、ドラッグアンドドロップなどの基本効能を備え、有線マウスは、USBヘッドにより、ホストコンピュータと連接され、ホストコンピュータの電源により、マウスの操作を行う。また、無線マウスは、ワイヤレスの方式でホストコンピュータと連接される。一般に、USBヘッドを設けた受信器、或いは、充電台座により、コンピュータホストと連接し、無線マウスの操作は、受信器、或いは、充電台座内の無線モジュールにより、リモコンの効能を備える。一般の無線マウスは充電式に設計され、受信器、或いは、充電台座のハウジング内に挿置され、電源を充電する。現在、市面のマウス設計において、電子メール発光表示機能があるものは、コンピュータが電子メールを受信する時、即時に、信号を発信し、マウス上の発光ダイオードを発光させて、ユーザーの注意を促すものである。また、マウスが移動する時、発光を呈するものは、透明ハウジングのマウス内に設けた発光ダイオードで、マウスが移動する時、発光するようになっている。上述のような機能の付加は、概して、マウスの基本使用には無関係で、新しい物好きのユーザーを惹きつける機能に過ぎない。しかし、マウスは使用時、ユーザーと一番、密接な関係ある。それは、直接、手に触れる場所だからである。一般に、ユーザーはマウスを使用する前、手を洗う習慣がない。マウスの使用途中で他のものに触れたり、銀行や、政府機関、或いは、コンピュータ売り場等で、公用のコンピュータやマウスが設置してあり、自由に使用できるようになっているところも多い。ここから分かるように、マウス本体は、細菌の集中地となり、手を通じて、細菌を散布している可能性がある。
【特許文献１】特開平０７−１６０３６２
【考案の開示】
【考案が解決しようとする課題】
【０００３】
本考案は、オゾン殺菌効果を有するマウスを提供することを目的とする。
【課題を解決するための手段】
【０００４】
本考案は、オゾン殺菌効果を有するマウスを提供し、有線マウスの本体内部に、オゾン生成モジュールを設置し、有線マウスのUSBヘッドが連接するコンピュータ電源により、オゾン生成モジュールが、マウス使用と同時に、オゾンガスを生成すると共に、マウスハウジング上の適当な孔槽から外に向けて発散し、マウス本体、或いは、周囲に対し、殺菌、消毒、或いは空気洗浄等の、オゾンの効果をもたらす。
本考案は、オゾン殺菌効果を有するマウスを提供し、無線マウス使用に対し、特に、無線マウスと合わせて使用する受信器や、充電台座のハウジング内部に、オゾン生成モジュールを増設し、受信器や、充電台座の現有の電源により、無線マウスを受信器や、充電台座のハウジング凹槽内に放置する時、オゾン生成モジュールがオゾンを生成し、適当な孔槽から発散し、無線マウス本体、或いは、周囲に対し、殺菌、消毒、或いは空気洗浄等の、オゾンの効果をもたらす。
請求項１に記載するオゾン殺菌効果を有する有線マウスは、上下ハウジング、及び、ハウジング内部の回路板、光学式座標装置、及び、入力用ボタン、或いは、リールホイール、からなり、USBヘッドにより、コンピュータホストと接続され、その特徴は、前記マウスのハウジング内部にオゾン生成モジュールを設置し、前記オゾン生成モジュールの電源と前記マウスのUSBヘッド中の電源線とを連接させ、前記オゾン生成モジュールが、直接、前記マウスの現有電源を利用して、起動使用できるようにしてあることで、これにより、前記マウスの使用と同時に、オゾンガスを発生させて、前記マウスのハウジング上の適当な孔槽より、外に向けて発散され、前記マウス本体、或いは、周囲に対し、殺菌、消毒、或いは空気洗浄等の、オゾンの効果をもたらすことを特徴とする。
請求項２に記載するように、前記オゾン生成モジュールは、絶縁ケーシング内に配置されることを特徴とする。  
請求項３に記載するように、前記オゾン生成モジュールは、ケーシング内部の底部に近い部分に回路板を設け、前記回路板上に、変圧器を備え、前記マウスの低電圧を高電圧、低電流に転換することが出来ると共に、前記回路板の上方に、数個の電極鋭針、及び相反する電極の電極孔銅板を固設し、前記電極孔銅板上に、前記電極鋭針に対応して、ホールが設けられ、前記回路板の一端から、正負導線が延出して、前記マウスの前記USBヘッド中の電源線と連接し、前記絶縁ケーシング内部に、絶縁樹脂層を灌入して、前記回路板を包覆し、好ましい絶縁、隔熱効果を得て、上述の構造により、前記オゾン生成モジュール全体の容積を縮小することが出来、前記有線マウス本体内に装着して使用することが出来ることを特徴とする。
請求項４に記載するように、前記マウスのハウジング上の適当な孔槽は、前記マウスのハウジング上の隙間であることを特徴とする。
請求項５に記載するように、前記マウスのハウジング上の適当な孔槽は、前記上ハウジング上に設けられた孔槽であることを特徴とする。
請求項６に記載するように、本考案のオゾン殺菌効果を有する無線マウスは、前記無線マウスは受信器と合わせて使用され、前記受信器は、USBヘッドにより、コンピュータホストと連接され、その特徴は、前記受信器は、前記無線マウスを放置する凹槽を備えルハウジングで、前記ハウジング内部に、オゾン生成モジュールを設置し、前記受信器の現有の電源により、前記オゾン生成モジュールを起動して、前記オゾン生成モジュールがオゾンを生成し、ハウジング上の適当な孔槽から外に向けて発散し、前記受信器の凹槽に配置された前記無線マウス本体、或いは、周囲に対し、殺菌、消毒、或いは空気洗浄等の、オゾンの効果をもたらすことを特徴とする。  
請求項７に記載するように、前記無線マウスは充電台座を合わせて使用し、前記受電台座は、USBヘッドにより電源を外接し、特徴は、前記充電台座のハウジング内部にオゾン生成モジュールを設置し、前記充電台座現有の電源により、前記オゾン生成モジュールを起動して、オゾンを発生させると共に、前記充電台座のハウジング上の適当な孔槽から外に発散させ、前記受電台座の凹槽内に配置された前記無線マウス本体、或いは周囲に対し、殺菌、消毒、或いは、空気洗浄のオゾン効果をもたらすことを特徴とする。
【考案の効果】
【０００５】
マウス本体、或いは、周囲に対し、殺菌、消毒、或いは空気洗浄等が可能になる。
【考案を実施するための最良の形態】
【０００６】
図１、図２、及び図３で示されるように、本考案で実施される有線マウス１は、上ハウジング１０、下ハウジング１１、及びハウジング内部に備わるマイクロコントローラーの回路板１２、座標を出力する光学式座標装置１３、二つのボタン１４、或いは、制御信号を入力するリールホイール１５、からなる有線マウスで、USBヘッド１６により、コンピュータホストと接続され、信号をコンピュータに伝送すると共に、コンピュータホストの電源を利用する。その特徴は、例えば、有線マウス１の末部等、有線マウス１のハウジング内部に適当な空間を選択し、小型化されたオゾン生成モジュール２を増設すると共に、図３で示されるように、オゾン生成モジュール２を、直接、有線マウス１のUSBヘッド１６中の電源線１７と連接させて、オゾン生成モジュール２が、直接、有線マウス１の現有電源を利用して、起動使用できるようにし、有線マウス１の使用と同時に、オゾンガスを発生させて、有線マウス１のハウジング上の適当な孔槽、例えば、有線マウス１のハウジング上の隙間１８、或いは、ハウジング１０上に、別途に設けられた孔槽１９により、図４及び図５の矢印で示されるように、外に向けて発散され、有線マウス１の本体１、或いは、その周囲、上ハウジング１０表面の、手が直接接触する面に対し、殺菌、消毒、或いは、空気洗浄等の、オゾン使用効果を発揮し、細菌の屯積や散布を防止する。
【０００７】
図６、図７、及び図８を参照すると、一般のマウスは、手掌ほどの大きさであり、故に、内部空間には限りがあり、且つ、マウス内で使用する電池が、約５ボルトほどである。よって、オゾン生成器が、有線マウス１のハウジング内部に簡易装設され、有線マウス１の操作使用に影響を与えず、且つ、マウス現有の電源により、充分な量のオゾンを発生させるために、使用するオゾン生成器は、少なくとも、小型化、モジュール化の条件に符合している必要がある。本考案のオゾン生成モジュール２の作用原理は、公知の先端放電オゾン生成方式であるが、その構造は、小型化、且つ、モジュール化の要求に符合し、図６で示されるような長方形のケーシング等の絶縁ケーシング２０からなり、ケーシング２０内の底部に近い部分に回路板２１を設け、回路板２１上に、小型の変圧器２２を備え、マウスの低電圧を高電圧、低電流に転換することが出来ると共に、回路板２１の上方に、数個の電極鋭針２３、及び相反する電極の電極孔銅板２４を固設し、電極孔銅板２４上に、電極鋭針２３に対応して、ホール２５が設けられ、ホールの中心は電極鋭針２３の尖端となっている。回路板２１の一端から、正負導線２６が延出して、有線マウス１のUSBヘッド１６中の電源線１７と連接している。絶縁ケーシング２０内部に、エポキシなどの絶縁樹脂層２７を灌入して、回路板２１を包覆し、好ましい絶縁、隔熱効果を得る。上述の構造により、オゾン生成モジュール２全体の容積を縮小することが出来、有線マウス１本体内に簡易装着して使用することが出来る。使用時に、電極鋭針２３は高電圧を受けて尖端放電を生成し、相反する電極の電極孔銅板２４上のホール２５の電極間でブレインストーム現象が生じ、近隣の空気にイオン化現象が生じ、空気中の酸素分子に陰イオンを帯びさせて、オゾンを生成させる。図８で示されるような回路の尖端放電作用により、マイナスイオンを生成し、人体に有益なマイナスイオン効果をもたらす。
【０００８】
図９、図１０、図１１、図１２及び図１３で示されるように、無線マウス３は、リモコン方式で、受信器と合わせて使用され、受信器は、更に、コンピュータホストと連接され、故に、無線マウス３は、直接、コンピュータと連接されないで、電源を得る。一般に、内装電池、或いは、その他の充電方法であり、よって、直接、オゾン生成器を無線マウス３上に装設する場合は、電力の消費が早く、使用が不便である。故に、本考案は、更に、無線マウス３の使用に対し、無線マウス３と合わせて使用する受信器４、或いは充電台座（図示しない）を利用し、受信器４のハウジング内部にオゾン生成モジュール５を増設して、受信器４が、図１３で示されるようなUSBヘッド４１により連接する電源（図示しない）、充電台座が一般のヘッドにより連接する電源（図示しない）などの、受信器４現有の電源により、オゾン生成モジュール５に、受信器４の使用と同時にオゾンを発生させ、受信器４上の適当な孔槽４２から外に発散して、受信器４のハウジング凹槽４３中に配置された無線マウス３本体、或いは、周辺に対し、殺菌、消毒、或いは、空気洗浄の効果をもたらす。
【０００９】
図１４、図１５、及び図１６を参照すると、受信器４、或いは充電台座のハウジング内部空間は、一般のマウスよりも若干大きく、故に、使用するオゾン生成モジュール５は、小型化、且つ、モジュール化の要求に符合するのが好ましいが、前述のオゾン生成モジュール２に制限するものではない。また、オゾン生成モジュールの作用原理は、公知の紫外線ランプのゾン生成方式であるが、その構造は、公知の同類のものより更に、小型化、且つ、モジュール化し、図１４及び図１５で示されるような、長方形のケーシング５０からなり、ケーシング５０内の底部近くに、回路板５１を設け、回路板５１上に、小型の変圧器５２を備え、マウスの低電圧を高電圧、低電流に転換することが出来る。また、回路板５１の一端に、紫外線ランプ５３を連接し、回路板５１のもう一つの方向から、正負導線５４が延出して、電源を外接する。絶縁ケーシング５０内部に、エポキシなどの絶縁樹脂層５５を灌入して、回路板５１を包覆し、好ましい絶縁、隔熱効果を得る。上述の構造により、オゾン生成モジュール５全体の容積を縮小することが出来、受信器４、或いは充電台座のハウジングに装着して使用することが出来る。使用時、紫外線ランプ５３内で高電圧が放電する時、紫外線ランプ５３外環部は、継続してオゾンを生成し、受信器４に、小型のファン４４を増設して、紫外線ランプ５３に吹風し、図１１、図１２で示されるように、効果的に、オゾンを増加させ、孔槽４２から外側に発散させることが出来る。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案による有線マウスの立体図である。
【図２】図１の立体分解図である。
【図３】図１の構造中、回路連接を示した簡略図である。
【図４】図１の使用状態の後部断面図である。
【図５】図１の使用状態の側部断面図である。
【図６】図１のオゾン生成モジュール実施例の立体図である。
【図７】図６のオゾン生成モジュール実施例の側部断面図である。
【図８】図６のオゾン生成モジュール実施例の回路を示す図である。
【図９】本考案による無線マウスの立体図である。
【図１０】図９中の受信器（或いは、充電台座）の立体分解図である。
【図１１】図１０の上視図である。
【図１２】図９の使用状態の側部断面図である。
【図１３】図９の構造中、回路連接を示した簡略図である
【図１４】図９のオゾン生成モジュールの立体拡大図である。
【図１５】図１４の側部断面図である。
【図１６】図１４のオゾン生成モジュールの回路を示す図である。
【符号の説明】
【００１２】
１…有線マウス
１０…上ハウジング
１１…下ハウジング
１２、２１、５１…回路板
１３…光学式座標装置
１４…ボタン
１５…リールホイール
１６…USDヘッド
１７…電源線
１８…隙間
１９、４２…孔槽
２、５…オゾン生成モジュール
２０、５０…ケーシング
２２、５２…変圧器
２３…電極鋭針
２４…電極孔銅板
２５…ホール
２６、５４…導線
２７、５５…樹脂層
３…無線マウス
４…受信器
４１…USBヘッド
４３…凹槽
４４…ファン
５３…紫外線ランプ
【図１】
0003103095.tif 000003
【図２】
0003103095.tif 000004
【図３】
0003103095.tif 000005
【図４】
0003103095.tif 000006
【図５】
0003103095.tif 000007
【図６】
0003103095.tif 000008
【図７】
0003103095.tif 000009
【図８】
0003103095.tif 000010
【図９】
0003103095.tif 000011
【図１０】
0003103095.tif 000012
【図１１】
0003103095.tif 000013
【図１２】
0003103095.tif 000014
【図１３】
0003103095.tif 000015
【図１４】
0003103095.tif 000016
【図１５】
0003103095.tif 000017
【図１６】
0003103095.tif 000018